(57)【要約】【課題】安定した強度で良好な回転状態を維持できると共に、金型の劣化により精度が低下した場合であっても歯部を所要の寸法に容易に形成することが可能な駆動ギヤを有する魚釣用リールを提供すること【解決手段】ハンドルに連結される連結部と歯部とを有する駆動ギャをリール本体に回転自在に支持し、このハンドルを回転操作したときに駆動ギヤを介して伝達される巻取り駆動力により、リール本体に支持したスプールに釣糸を巻回する魚釣用リールにおいて、前記駆動ギヤは、前記歯部に形成される歯面の背面部に、環状突起を一体にダイキャスト成形し、この環状突起を外圧の作用で潰すことにより、前記歯部に形成された高密度の内部組織を有する魚釣用リール。【選択図】      図３
2005151885.tif 000002
【特許請求の範囲】
【請求項１】
ハンドルに連結される連結部と歯部とを有する駆動ギャをリール本体に回転自在に支持し、このハンドルを回転操作したときに駆動ギヤを介して伝達される巻取り駆動力により、リール本体に支持したスプールに釣糸を巻回する魚釣用リールにおいて、
前記駆動ギヤは、前記歯部に形成される歯面の背面部に、環状突起を一体にダイキャスト成形し、この環状突起を外圧の作用で潰すことにより、前記歯部に形成された高密度の内部組織を有することを特徴とする魚釣用リール。
【発明の詳細な説明】
【技術分野】
【０００１】
本発明は、魚釣用リールに関し、特に、ハンドルを回転操作したときに駆動ギヤを介して伝達される巻取り駆動力により、リール本体に支持したスプールに釣糸を巻回する魚釣用リールに関する。
【背景技術】
【０００２】
例えば魚釣用スピニングリールは、スプールに釣糸を巻回保持するため、ハンドルに連結される連結部と、ロータに一体的に取り付けられたピニオンに噛合う円盤状のギヤ部とで形成される駆動ギヤを備える。スプールに釣糸と巻回する場合は、ハンドルを回転操作したときに、この駆動ギヤの歯部を介して巻取り駆動力を巻取り駆動部に伝達する。
【０００３】
このような駆動ギヤには、軽量化を図るために金型を用いて樹脂材料を一体成型する際、フェースギヤ部の背面に補強材をインサートして樹脂材料の強度不足を補うものがある（例えば特許文献１参照）。
【特許文献１】実開昭５７−１６４５７５号公報
【発明の開示】
【発明が解決しようとする課題】
【０００４】
このような補強材で樹脂材料の強度不足を補う従来の駆動ギヤは、軽負荷の状況下での使用に対しては実用可能であるものの、負荷の掛る巻取り操作や長時間の連続的な使用あるいは高温条件での使用によっては、歯部が磨耗したり、変形し易く、このため使用条件、範囲が特定される。このため、一般的には、亜鉛合金やアルミニウム合金等の金属材料をダイキャスト法で所定ギヤ形状に一体成形したものが、強度、コスト、量産性の面から多用化されているのが現状である。
【０００５】
一方、ダイキャスト成形は、金型に溶融金属（ダイキャスト素材）を流し込んで高い圧力をかけて所定形状に成形するものであるが、複雑な形状、成型機の性能・安定性や成形環境に起因し、歯面部に鋳巣ができやすく、強度が低下して使用できなくなったり、保有強度にバラツキが生じて強度的に安定した駆動ギヤの成形品が得られない。このため、バラツキが生じる範囲の下限値で強度設計することになり、駆動ギヤが大型・重量化してしまう等の問題がある。
【０００６】
また、ダイキャスト成形に用いる金型に、使用経過に伴う多少の劣化が生じた場合、金型修正や再起型が必要となり、金型コストが嵩んでしまう。
【０００７】
本発明は、このような事情に基づいてなされたもので、安定した強度で良好な回転状態を維持できると共に、金型の劣化により精度が低下した場合であっても歯部を所要の寸法に容易に形成することが可能な駆動ギヤを有する魚釣用リールを提供することを目的とする。
【課題を解決するための手段】
【０００８】
上記目的を達成するため、本発明によると、ハンドルに連結される連結部と歯部とを有する駆動ギャをリール本体に回転自在に支持し、このハンドルを回転操作したときに駆動ギヤを介して伝達される巻取り駆動力により、リール本体に支持したスプールに釣糸を巻回する魚釣用リールにおいて、前記駆動ギヤは、前記歯部に形成される歯面の背面部に、環状突起を一体にダイキャスト成形し、この環状突起を外圧の作用で潰すことにより、前記歯部に形成された高密度の内部組織を有する魚釣用リールが提供される。
【発明の効果】
【０００９】
本発明の魚釣用リールによると、歯部の環状突起を潰して内部組織を高密度化することにより、歯面近くの鋳巣が潰れて駆動ギヤの強度が安定し、高負荷巻取り時における歯面部の折損や変化等の不具合の発生を防止して良好な回転状態を常時維持することができると共に、金型の劣化による精度低下が生じた場合でも、歯部を狙い寸法に容易に矯正することができ、金型の使用寿命を延ばすことができる。
【発明を実施するための最良の形態】
【００１０】
図１および図２は、本発明の好ましい実施形態による魚釣用リール１０を示す。  
図１に最もよく示すように、本実施形態では、種々の形式の魚釣用リールの内、一般的なスピニングリールとして形成してあり、この魚釣用リール１０は、リール本体１２と、リール本体１２から延出する脚部１２ａと、脚部１２ａの端部に形成されかつ図示しない釣竿に取り付けられる竿取付部１２ｂとを有している。リール本体１２内にはハンドル軸１４が回転可能にボール軸受を介して支持されており、このハンドル軸１４の端部に設けた連結部１４ａ（図２参照）にハンドル１５が固定されている。更に、ハンドル軸１４のリール本体１２内に配置される部位には、ドライブギア１６を配置してあり、これらのハンドル軸１４とドライブギヤ１６とは、後述するダイキャスト素材１８ａから、駆動ギヤ１８として一体的に形成される。
【００１１】
ドライブギア１６には、ハンドル軸１４に対して直交する方向に延在しかつ軸受けを介してリール本体１２内に回転可能に支持された円筒状構造のピニオンギア２０が噛合している。このピニオンギア２０の先端部には、ベール２２および釣糸案内装置２４を備えたロータ２６が一体的に取り付けられている。
【００１２】
また、このピニオンギア２０内には、スプール軸２８が摺動可能に支持されており、上述のドライブギア１６を介してハンドル軸１４で作動されるオシレーティング機構３０により、軸方向に沿う一定のストロークで往復駆動することができる。このスプール軸２８の先端には、釣糸が巻回されるスプール３０が着脱可能に取付けられ、スプール軸２８と共にこのハンドル軸１４と直交する方向に往復動することができる。
【００１３】
したがって、この魚釣用リール１０は、ハンドル１５を回転操作してハンドル軸１４を回転させると、オシレーティング機構３２およびスプール軸２８を介してスプール３０が前後に一定ストロークで往復動すると共に、ドライブギア１６およびピニオンギア２０を介してロータ２６が回転する。これにより、ロータ２６に設けられた釣糸案内装置２４を介して、スプール３０に釣糸が均等に巻回される。
【００１４】
図３に示すように、駆動ギヤ１８に成形する前のダイキャスト素材１８ａは、中空構造のハンドル軸１４を有し、両端の連結部１４ａ，１４ｂには、ハンドル１５をネジ止めするための雄ネジが形成され、中間位置の外周部には、凹部３４とハンドル軸１４のスラスト方向のガタ付きを規制するフランジ部３６とを形成してある。また、連結部１４ａ，１４ｂに隣接する部位の外周部は、リール本体１２に装着するためのボール軸受を嵌合する装着部３８ａ，３８ｂとして、断面円形の滑らかな円筒状面に形成してある。更に、図中左側に示す装着部３８ｂに隣接して、フランジ３６と共にスラスト方向のガタ付きを規制する肩部４０が設けられ、この肩部４０の外周部にドライブギヤ１６が一体的に形成されている。
【００１５】
本実施形態では、ドライブギヤ１６は、ハンドル軸１４の肩部４４から一体部材として延びる比較的薄肉構造のディスク状部４６と、このディスク状部の外周部に形成された歯部４８とを有するフェースギヤとして形成してあり、上述のピニオンギア２０と噛合う歯面５０がこの歯部４８の一側に配置される。そして、この歯面５０の背面部すなわち歯部４８の他側から環状突起５２が突出する。この環状突起５２は、駆動ギヤ１８をダイキャスト成型する際に歯部４８と一体に形成され、歯面５０の反対側で、この歯部４８の全周にわたって連続する。この環状突起５２が、ディスク状部４６の表面から突出する高さは、潰すことによる変形クラックを発生させないために、図３に示す歯部４８の厚さｄと環状突起５２の突出高さlとの関係についてｌ／ｄを０．１から０．２５程度とすることが好ましい。
【００１６】
このような構造の駆動ギヤ１８に形成するダイキャスト素材は、Ｓｉを７（mass％）以上含むアルミニウム合金（ＡＤＣ１，ＡＤＣ３，ＡＤＣ１０，ＡＤＣ１２等）から形成することができ、主として強度、成型性等の面でＡＤＣ１２が好適である。また、亜鉛ダイキャスト素材としては、ＺＤＣ１，ＺＤＣ２等を用いることができる。
【００１７】
そして、このような好適な素材から形成したダイキャスト素材１８ａは、ゲート、オーバーフローのカット等のトリミングの後、例えば鍛造等の外圧の作用による環状突起５２の潰し工程を経て、図４に示す駆動ギヤ１８として仕上げられる。この環状突起５２に外圧を作用させて潰す際、歯面２０側を歯型に対応した形状の受部材で支えることにより、ダイキャストの金型の劣化で精度が低下している場合であっても、歯部４８を狙い寸法すなわち設計寸法に矯正することができる。すなわち、ダイキャストの金型が劣化してダイキャスト素材１８ａの精度が低下した場合であっても、ダイキャスト素材１８ａの歯部４８を狙い寸法に容易に矯正することができることにより、高価なダイキャスト金型の使用寿命を延長することが可能となる。
【００１８】
図５の（Ａ）は、環状突起５２に外圧を加えて潰した後の歯部４８の内部組織を示し、図５の（Ｂ）は、このような潰し工程を経ていないディスク状部４６の内部組織を同図の（Ａ）と同じ倍率で示す。これらの内部組織の比較から明らかなように、歯部４８の内部組織はα晶Ｋが高密度化されると共に、これらのα晶Ｋ間に形成された鋳巣Ｓは潰れて極めて小さくなる。したがって、ダイキャスト素材１８ａから形成される駆動ギヤ１８は、製品毎のバラツキが小さくなり、しかも、歯部４８の内部組織が密になることにより、強度的に安定する。このように高密度化した歯部４８により、高負荷巻取り時における歯面２０の折損や変更等の不具合の発生が防止され、駆動ギヤ１８の良好な回転状態を常時維持することが可能となる。
【００１９】
なお、上述の実施形態では、駆動ギヤ１８をハンドル軸１４とドライブギヤ１６とを一体に形成したダイキャスト素材１８ａから形成したが、ハンドル軸１４と別体構造に形成して一体化することも可能である。
【図面の簡単な説明】
【００２０】
【図１】本発明の好ましい実施形態による魚釣用リールの部分断面図。
【図２】図１に示す魚釣用リールのＩＩ−ＩＩ線に沿う断面図。
【図３】図２に示す魚釣用リールの駆動ギヤに形成するダイキャスト素材の断面図。
【図４】完成した駆動ギヤの断面図。
【図５】図４に示す駆動ギヤの歯部とディスク状部との内部組織を示す説明図。
【符号の説明】
【００２１】
１０…魚釣用リール、１２…リール本体、１４ａ，１４ｂ…連結部、１５…ハンドル、１８…駆動ギヤ、４８…歯部、５０…歯面、５２…環状突起。
【図１】
2005151885.tif 000003
【図２】
2005151885.tif 000004
【図３】
2005151885.tif 000005
【図４】
2005151885.tif 000006
【図５】
2005151885.tif 000007